【手続補正書】
【提出日】令和3年6月30日(2021.6.30)
【手続補正１】
【補正対象書類名】特許請求の範囲
【補正対象項目名】全文
【補正方法】変更
【補正の内容】
【特許請求の範囲】
【請求項１】
外部に露出し、内視鏡観察装置に対して電気的に接続する金属部材と、
樹脂材料によって構成された外装部材と、
外部に露出し、前記外装部材及び前記金属部材間の隙間を閉塞する弾性部材とを備える
内視鏡用コネクタ。
【請求項２】
前記金属部材は、
前記外装部材の一端に設けられ、
前記弾性部材は、
前記外装部材の一端と前記金属部材との間に設けられている請求項１に記載の内視鏡用コネクタ。
【請求項３】
前記外装部材は、
筒形状を有する請求項１に記載の内視鏡用コネクタ。
【請求項４】
前記外装部材の内部に挿通され、一端側が前記金属部材に接続された接続構造体と、
前記接続構造体の他端に取り付けられ、前記外装部材の他端に当接する押え部材とをさらに備え、
前記外装部材及び前記弾性部材は、
前記金属部材と前記押え部材との間に挟持される請求項３に記載の内視鏡用コネクタ。
【請求項５】
前記押え部材は、
前記接続構造体の他端に対して螺合し、当該螺合状態を変更することによって当該接続構造体に対して前記外装部材の中心軸に沿って進退移動する請求項４に記載の内視鏡用コネクタ。
【請求項６】
前記外装部材の一端及び前記弾性部材が互いに当接する当接面は、
前記外装部材の中心軸に直交するとともに、当該中心軸を中心とする周方向の全周に延在した平面である請求項４に記載の内視鏡用コネクタ。
【請求項７】
前記弾性部材は、
電気的に絶縁性を有する材料によって構成されている請求項１に記載の内視鏡用コネクタ。
【請求項８】
前記弾性部材は、
耐薬品性を有する材料によって構成されている請求項１に記載の内視鏡用コネクタ。
【請求項９】
前記金属部材は、
前記内視鏡観察装置に係止されることによって当該内視鏡観察装置に対して機械的に接続する請求項１に記載の内視鏡用コネクタ。
【請求項１０】
前記金属部材は、
前記内視鏡観察装置に対して電気的に接続するグラウンド端子である請求項１に記載の内視鏡用コネクタ。
【請求項１１】
前記外装部材及び前記金属部材間には、
水密部材が設けられている請求項１に記載の内視鏡用コネクタ。
【請求項１２】
前記樹脂材料は、
前記金属部材よりも線膨張係数が大きく、
前記弾性部材は、
前記外装部材よりも弾性率が大きい請求項１に記載の内視鏡用コネクタ。
【請求項１３】
先端と基端とを有し、先端側に超音波プローブが設けられた挿入部と、
前記挿入部の基端側に設けられた操作部と、
外部に露出し、内視鏡観察装置に対して電気的に接続する金属部材と、前記金属部材よりも大きな線膨張係数を有する樹脂材料によって構成された外装部材と、前記外装部材よりも大きな弾性率を有するとともに、外部に露出し、前記外装部材及び前記金属部材間の隙間を閉塞する弾性部材と、を備えた内視鏡用コネクタと、
を備える内視鏡。
【手続補正２】
【補正対象書類名】明細書
【補正対象項目名】０００６
【補正方法】変更
【補正の内容】
【０００６】
上述した課題を解決し、目的を達成するために、本発明に係る内視鏡用コネクタは、外部に露出し、内視鏡観察装置に対して電気的に接続する金属部材と、樹脂材料によって構成された外装部材と、外部に露出し、前記外装部材及び前記金属部材間の隙間を閉塞する弾性部材とを備える。
【手続補正３】
【補正対象書類名】明細書
【補正対象項目名】０００７
【補正方法】変更
【補正の内容】
【０００７】
また、本発明に係る内視鏡用コネクタでは、上記発明において、前記金属部材は、前記外装部材の一端に設けられ、前記弾性部材は、前記外装部材の一端と前記金属部材との間に設けられていることを特徴とする。
また、本発明に係る内視鏡用コネクタでは、上記発明において、前記外装部材は、筒形状を有する。
【手続補正４】
【補正対象書類名】明細書
【補正対象項目名】０００８
【補正方法】変更
【補正の内容】
【０００８】
また、本発明に係る内視鏡用コネクタでは、上記発明において、前記外装部材の内部に挿通され、一端側が前記金属部材に接続された接続構造体と、前記接続構造体の他端に取り付けられ、前記外装部材の他端に当接する押え部材とをさらに備え、前記外装部材及び前記弾性部材は、前記金属部材と前記押え部材との間に挟持される。
【手続補正５】
【補正対象書類名】明細書
【補正対象項目名】０００９
【補正方法】変更
【補正の内容】
【０００９】
また、本発明に係る内視鏡用コネクタでは、上記発明において、前記押え部材は、前記接続構造体の他端に対して螺合し、当該螺合状態を変更することによって当該接続構造体に対して前記外装部材の中心軸に沿って進退移動する。
【手続補正６】
【補正対象書類名】明細書
【補正対象項目名】００１０
【補正方法】変更
【補正の内容】
【００１０】
また、本発明に係る内視鏡用コネクタでは、上記発明において、前記外装部材の一端及び前記弾性部材が互いに当接する当接面は、前記外装部材の中心軸に直交するとともに、当該中心軸を中心とする周方向の全周に延在した平面である。
【手続補正７】
【補正対象書類名】明細書
【補正対象項目名】００１１
【補正方法】変更
【補正の内容】
【００１１】
また、本発明に係る内視鏡用コネクタでは、上記発明において、前記弾性部材は、電気的に絶縁性を有する材料によって構成されている。
【手続補正８】
【補正対象書類名】明細書
【補正対象項目名】００１２
【補正方法】変更
【補正の内容】
【００１２】
また、本発明に係る内視鏡用コネクタでは、上記発明において、前記弾性部材は、耐薬品性を有する材料によって構成されている。
【手続補正９】
【補正対象書類名】明細書
【補正対象項目名】００１３
【補正方法】変更
【補正の内容】
【００１３】
また、本発明に係る内視鏡用コネクタでは、上記発明において、前記金属部材は、前記内視鏡観察装置に係止されることによって当該内視鏡観察装置に対して機械的に接続する。
【手続補正１０】
【補正対象書類名】明細書
【補正対象項目名】００１４
【補正方法】変更
【補正の内容】
【００１４】
また、本発明に係る内視鏡用コネクタでは、上記発明において、前記金属部材は、前記内視鏡観察装置に対して電気的に接続するグラウンド端子である。
【手続補正１１】
【補正対象書類名】明細書
【補正対象項目名】００１５
【補正方法】変更
【補正の内容】
【００１５】
また、本発明に係る内視鏡用コネクタでは、上記発明において、前記外装部材及び前記金属部材間には、水密部材が設けられている。
また、本発明に係る内視鏡用コネクタでは、上記発明において、前記樹脂材料は、前記金属部材よりも線膨張係数が大きく、前記弾性部材は、前記外装部材よりも弾性率が大きい。
【手続補正１２】
【補正対象書類名】明細書
【補正対象項目名】００１６
【補正方法】変更
【補正の内容】
【００１６】
また、本発明に係る内視鏡は、先端と基端とを有し、先端側に超音波プローブが設けられた挿入部と、前記挿入部の基端側に設けられた操作部と、外部に露出し、内視鏡観察装置に対して電気的に接続する金属部材と、前記金属部材よりも大きな線膨張係数を有する樹脂材料によって構成された外装部材と、前記外装部材よりも大きな弾性率を有するとともに、外部に露出し、前記外装部材及び前記金属部材間の隙間を閉塞する弾性部材と、を備えた内視鏡用コネクタと、を備える。